(57)【要約】【課題】電線との接続部への異物の混入を防止するとともに作業効率を向上したコネクタを提供する。【解決手段】コネクタは、端子収容室１２が設けられたハウジング１１を複数積み重ねてなる。端子２０は、電線接続部２４、電線接続部２４から連なる端子接続部２１、および電線接続部２４と端子接続部２１との間をつなぐ連結部２３を有する。端子２０の連結部２３に取り付けられることにより電線接続部２４を保護する保護部材１６と、ハウジング１１に取り付けられ、端子収容室１２に収容された端子２０の連結部２３に仮保持された保護部材１６を、保持位置まで移動可能なリテーナ１７と、を備える。ハウジング１１には、一つのハウジング１１と他のハウジング１１とを積み重ねることによりリテーナ１７を移動させて、連結部２３に仮保持された保護部材１６を保持位置まで移動可能とするリテーナ操作部１５が設けられている。【選択図】図２
2014029774.tif 000002
【特許請求の範囲】
【請求項１】
端子を収容する端子収容室が設けられたハウジングを複数積み重ねてなるコネクタであって、
前記端子は、電線の端末と接続される電線接続部、前記電線接続部から連なり相手方端子と接続される端子接続部、および前記電線接続部と前記端子接続部との間をつなぐ連結部を有し、
前記端子の前記連結部に取り付けられることにより前記電線接続部を保護する保護部材と、前記ハウジングに取り付けられ、前記端子収容室に収容された前記端子の連結部に仮保持された前記保護部材を、保持位置まで移動可能なリテーナと、を備え、
前記ハウジングには、一つの前記ハウジングと他の前記ハウジングとを積み重ねることにより前記リテーナを移動させて、前記連結部に仮保持された前記保護部材を保持位置まで移動可能とするリテーナ操作部が設けられているコネクタ。
【請求項２】
前記保護部材と前記リテーナとが一体である請求項１に記載のコネクタ。
【請求項３】
前記保護部材は弾性部材からなる請求項１または請求項２に記載のコネクタ。
【発明の詳細な説明】
【技術分野】
【０００１】
本発明は、コネクタに関する。
【背景技術】
【０００２】
コネクタのハウジングに設けられた端子収容室には、電線の端末と接続される電線接続部、および電線接続部から連なり相手方端子と接続される端子接続部を有する端子が収容されている。
【０００３】
このような端子においては、電線接続部への異物（水やゴミなど）の混入が懸念されるため、たとえば、特許文献１に記載されている端子のように、電線接続部に熱収縮チューブを取り付ける等の対策が採られている。
【先行技術文献】
【特許文献】
【０００４】
【特許文献１】特開２０００−２８５９８３号公報
【発明の概要】
【発明が解決しようとする課題】
【０００５】
上記特許文献に記載されているような端子を複数備えるコネクタでは、端子ごとに、熱収縮チューブを取り付けた後、加熱することにより熱収縮チューブを電線接続部に密着させるという作業が必要であるため、手間がかかるという問題があった。
【０００６】
本発明は上記のような事情に基づいて完成されたものであって、電線との接続部への異物の混入を防止するとともに作業効率を向上したコネクタを提供することを目的とする。
【課題を解決するための手段】
【０００７】
上記課題を解決するものとして、本発明は、端子を収容する端子収容室が設けられたハウジングを複数積み重ねてなるコネクタであって、前記端子は、電線の端末と接続される電線接続部、前記電線接続部から連なり相手方端子と接続される端子接続部、および前記電線接続部と前記端子接続部との間をつなぐ連結部を有し、前記端子の前記連結部に取り付けられることにより前記電線接続部を保護する保護部材と、前記ハウジングに取り付けられ、前記端子収容室に収容された前記端子の連結部に仮保持された前記保護部材を、保持位置まで移動可能なリテーナと、を備え、前記ハウジングには、一つの前記ハウジングと他の前記ハウジングとを積み重ねることにより前記リテーナを移動させて、前記連結部に仮保持された前記保護部材を保持位置まで移動可能とするリテーナ操作部が設けられているコネクタである。
【０００８】
本発明においては、コネクタのハウジングに端子の連結部に配置される保護部材を仮保持状態から保持状態にリテーナを移動させるリテーナ操作部が設けられているから、１つのハウジングと他のハウジングとを積み重ねるだけで、端子の電線接続部への異物の混入を防止する保護部材の取付が完了するので、作業効率が向上する。
その結果、本発明によれば、電線との接続部への異物の混入を防止するとともに作業効率を向上したコネクタを提供することができる。
【０００９】
本発明は以下の構成としてもよい。
前記保護部材と前記リテーナとが一体であってもよい。このような構成とすると、部品点数を減らすことができる。
【００１０】
前記保護部材が弾性材料からなる構成であってもよい。このような構成とすると、電線接続部に防水性を付与することができる。防水性が付与されれば、例えば電線の芯線と端子とが相違する金属材料からなるときに発生しうる異種金属の接触による腐食を防止できる。
【発明の効果】
【００１１】
本発明によれば、電線との接続部への異物の混入を防止するとともに作業効率を向上したコネクタを提供することができる。
【図面の簡単な説明】
【００１２】
【図１】実施形態１のコネクタの一部断面図
【図２】複数のハウジングを積み重ねる前の状態を示す一部断面図
【発明を実施するための形態】
【００１３】
＜実施形態１＞
本発明の実施形態１を図１および図２によって説明する。図１および図２において左側を前方とし右側を後方とする。上下方向は各図に基づく。
実施形態１のコネクタ１０は、複数のハウジング１１を積み重ねてなる積層型のコネクタ１０である。図１および図２には３つのハウジング１１を示しているが、３つのハウジング１１を区別するときには、上から順にハウジング１１Ａ、ハウジング１１Ｂ、ハウジング１１Ｃとする。なおハウジング１１Ｃについては、上壁部分のみを示し、端子２０および端子収容室１２は示していないが、端子２０および端子収容室１２の構成は、他のハウジング１１Ａおよび１１Ｂと同様である。
【００１４】
各ハウジング１１には、端子２０が収容される端子収容室１２が上下に２段設けられている。各端子収容室１２には端子２０を係止可能な片持ち状のランス１４が設けられている。ランス１４には端子２０の係止孔２２Ｂに係止される係止突部１４Ａが設けられている。端子収容室１２の前端（ハウジング１１の左端部）においては、相手方端子を挿入可能な端子挿通口１３が形成されている。
【００１５】
端子２０は、例えば銅製または銅合金製の金属板材をプレスして曲げ加工を施したものである。端子２０は、相手方端子との接続部が形成された箱状の端子接続部２１と、電線２７の端末に接続される電線接続部２４と、端子接続部２１と電線接続部２４とをつなげる連結部２３と、を有する。図１および図２では、電線接続部２４の電線２７が載置される面（電線載置部２４Ａ)から連なる面が上側に配されている。
【００１６】
端子接続部２１内には詳細は図示しないが、相手側端子と接触して電気的に接続される弾性接触片（図示せず、相手方端子との接続部）が形成されており、端子接続部２１の後端部には、端子収容室１２内への挿入動作の案内などに機能するスタビライザ２２Ａが下方に突出形成されている。また、端子接続部２１の下側面に端子収容室１２に形成したランス１４の係止突部１４Ａを受け入れて係止する係止孔２２Ｂが形成されている。
【００１７】
端子接続部２１の上壁２１Ａは、図１に示すように、後方の連結部２３に連なっている。連結部２３内には、保護部材１６が嵌り込むようになっている。連結部２３は溝状をなしており、図示上側に配される部分を上壁部２３Ａ、上壁部２３Ａの両側から下方に延出されている部分を側壁部２３Ｂとする。
【００１８】
連結部２３の後方には、図１に示すように、電線２７の端末が接続される電線接続部２４が連なっている。電線接続部２４には、電線２７の載置される電線載置部２４Ａから幅方向両側に延出されたバレル片２５，２６が２組形成されている。２組のバレル片２５，２６のうち前側のバレル片２５は電線２７の端末において露出する芯線２８に圧着されるワイヤバレル片２５であり、後側のバレル片２６は電線２７の絶縁樹脂製の被覆材２９により被覆された被覆部２９Ａに圧着されるインシュレーションバレル片２６である。
【００１９】
電線２７はアルミニウム、アルミニウム合金、銅、および銅合金から選ばれる材料からなる金属素線を含む芯線２８を、絶縁樹脂製の被覆材２９で被覆したものであり、その端末においては、被覆材２９の剥離除去により芯線２８が露出している。
【００２０】
さて、本実施形態においては、ハウジング１１に合成樹脂製のリテーナ１７が取り付けられている。リテーナ１７は、連結部２３に対応して配されている。本実施形態においては、リテーナ１７においては、２つの保護部材１６が上下に並ぶように配置されている。本実施形態において、リテーナ１７と２つの保護部材１６とは、例えば二色成形または接着剤により接着されて、一体である。２つの保護部材１６のうち上側の保護部材１６Ａを第１保護部材１６Ａ、下側の保護部材１６Ｂを第２保護部材１６Ｂとする。
【００２１】
保護部材１６は、詳細は図示しないが、溝状の連結部２３内に嵌り込む部分を有している。保護部材１６はゴムなどの弾性材料からなり、連結部２３内には圧入される。
【００２２】
さて、本実施形態において、リテーナ１７はハウジング１１の上壁面において上方に突出する突部１５により移動可能とされる。詳しくは、ハウジング１１の突部１５は複数のハウジング１１を積み重ねたときに、リテーナ１７を移動させて、保護部材１６を仮保持状態から保持位置まで移動させるリテーナ操作部１５として機能する。
【００２３】
次に、本実施形態のコネクタ１０の組み立て方法について説明する。
各ハウジング１１の端子収容室１２に電線２７の端末を接続した端子２０を収容しておき、リテーナ１７を下方から取り付ける。
【００２４】
リテーナ１７を取り付けるときには、端子２０の連結部２３の直下に保護部材１６を配して、連結部２３内に保護部材１６の一部を嵌めこむ。これにより保護部材１６は連結部２３に仮保持された状態となる（図２を参照）。
【００２５】
各保護部材１６が連結部２３に対して仮保持状態にあるとき、第２保護部材１６Ｂの下方には、リテーナ操作部１５の突出寸法Ｘよりも、深さ寸法Ｙの小さいハウジング受け部１８が形成されている。
【００２６】
次に、複数のハウジング１１同士を積み重ねる。リテーナ操作部１５を上に向けて配置したハウジング１１（例えばハウジング１１Ｂ）の上に、別のハウジング１１（例えばハウジング１１Ａ）をリテーナ操作部１５を上に向けて積み重ねる。
【００２７】
すると一のハウジング１１（例えばハウジング１１Ｂ）に形成したリテーナ操作部１５が、直上に配されるハウジング１１（例えばハウジング１１Ａ）のハウジング受け部１８に嵌り込む。さらに上側のハウジング１１Ａを押しこむと下側のハウジング１１Ｂのリテーナ操作部１５が上側のハウジング１１Ａのリテーナ１７に取り付けられた第２保護部材１６Ｂと当接する。
【００２８】
さらに上側のハウジング１１Ａを押しこむと、下側のハウジング１１Ｂに形成したリテーナ操作部１５により、上側のハウジング１１Ａに取り付けられたリテーナ１７が上方に押し上げられる。リテーナ１７が押し上げられることにより、第１保護部材１６Ａおよび第２保護部材１６Ｂが、対応する端子２０の連結部２３の上壁部２３Ａと当接するところまで嵌りこむ（図１を参照）。図１に示す状態においては、各保護部材１６が、連結部２３内で保持された状態である（保持位置にある例の一例）。ハウジング１１を積み重ねることにより、保護部材１６がリテーナ１７によって保持されたコネクタ１０が得られ、連結部２３内に嵌めこまれた保護部材１６により電線接続部２４への異物の浸入が防止される。
【００２９】
次に本実施形態の作用および効果を説明する。
本実施形態においては、コネクタ１０のハウジング１１に端子２０の連結部２３に配置される保護部材１６を仮保持状態から保持状態にリテーナ１７を移動させるリテーナ操作部１５が設けられているから、１つのハウジング１１と他のハウジング１１とを積み重ねるだけで、端子２０の電線接続部２４への異物の混入を防止する保護部材１６の取付が完了するので、作業効率が向上する。
その結果、本実施形態によれば、電線２７との接続部への異物の混入を防止するとともに作業効率を向上したコネクタ１０を提供することができる。
【００３０】
また、本実施形態によれば、保護部材１６とリテーナ１７とが一体であるから、部品点数を減らすことができる。
【００３１】
さらに、本実施形態によれば、保護部材１６が弾性材料からなる構成であるから、電線接続部２４に防水性を付与することができる。防水性が付与されれば、例えば電線２７の芯線２８と端子２０とが相違する金属材料からなるときに発生しうる異種金属の接触による腐食を防止できる。
【００３２】
＜他の実施形態＞
本発明は上記記述及び図面によって説明した実施形態に限定されるものではなく、例えば次のような実施形態も本発明の技術的範囲に含まれる。
（１）上記実施形態においては、保護部材１６とリテーナ１７とが一体である例を示したが、保護部材とリテーナとは別体であってもよい。
（２）上記実施形態においては、保護部材１６がゴム等の弾性材料からなる例を示したが、保護部材は合成樹脂性であってもよい。
【符号の説明】
【００３３】
１０…コネクタ
１１…ハウジング
１２…端子収容室
１５…リテーナ操作部
１６…保護部材
１６Ａ…第１保護部材
１６Ｂ…第２保護部材
１７…リテーナ
１８…ハウジング受け部
２０…端子
２１…端子接続部
２３…連結部
２３Ａ…上壁部
２４…電線接続部
２５…ワイヤバレル片
２６…インシュレーションバレル片
２７…電線
２８…芯線
２９Ａ…被覆部
【図１】
2014029774.tif 000003
【図２】
2014029774.tif 000004